(57)【要約】【課題】少なくとも一名の人員で傷病者の搬送が可能で、且つ不使用時には多数の担架をコンパクトに備蓄でき、軽量で携行も容易でありながら所期の剛性を備えた緊急避難用簡易担架を提供する。【解決手段】人が仰臥可能な大きさにされた略長方形状の本体ボード２と、本体ボード２の長手方向に沿った左右縁部に連接される縣架用リブ３と、各縣架用リブ３に複数穿設される把持孔４を、外郭を打ち抜き加工して平板状に形成する。そして、折り線５ａ、５ｂ及び切り込み線６を設け、各折り線５ａ、５ｂに対応した手順によって折り曲げ、先端側がソリ状の立体的な舟型を組み立てる。【選択図】図１
2015066416.tif 000002
【特許請求の範囲】
【請求項１】
人が仰臥可能な大きさにされた略長方形状の本体ボードと、本体ボードの長手方向に沿った左右縁部に連接される縣架用リブと、各縣架用リブに複数穿設される把持孔とを有し、外郭を打ち抜き加工すると共に、折り線及び切り込み線を有する紙製又は樹脂製のボードを、各折り線に対応した手順によって折り曲げ、先端側がソリ状の立体的な舟型を構成するようにされていることを特徴とする緊急避難用簡易担架。
【請求項２】
本体ボードが段ボール紙製であることを特徴とする請求項１記載の緊急避難用簡易担架。
【請求項３】
本体ボードが、樹脂板間を複数のリブにより連結して中空構造にされた樹脂プレートであることを特徴とする請求項１又は請求項２記載の緊急避難用簡易担架。
【発明の詳細な説明】
【技術分野】
【０００１】  本発明は、災害など緊急時に傷病者や要介護者を搬送するために使用される担架に関し、多数の担架をコンパクトに備蓄しておくことができ、非難場所での敷き具としても使用できる緊急避難用の簡易担架に関するものである。
【背景技術】
【０００２】  現在使用されている一般的な担架は、略長方形シートの両側に担棒を固着しものや戸板状で、材質としては木製又は軽量な金属製である。このため、狭小な出入り口、階段、エレベーターへの乗り入れが不可能な場合がある。また、不使用時の保管スペースを考慮すると、一般家庭のみならず医療機関や介護施設においても、数多くの担架を常備することは難しい。【０００３】  したがって、介護施設や医療機関において、夜間は救助者となる職員が少なくなるため、緊急時に全ての患者や傷病者を避難させることは困難である。また、避難所において敷き具なしのでの寝泊りは被災者に苦痛を強いるものである。【０００４】  すなわち、従来周知の担架は、狭い場所や階段、屈曲した路地等を通って傷病者を搬出する必要がある場合には、担棒が妨げとなり、搬出が制約されるという問題があった。そこで、例えば、上面に開閉可能な開口部を設けた略長方形の袋体の両側に間隔をおいて複数の把手を設け、この把手を手で直接把持して袋体に収容した傷病者を搬出するようにした担架が提案されている（特許文献１参照。）。【０００５】
【先行技術文献】
【特許文献】
【０００６】
【特許文献１】特開平９−１９２１７２号公報
【特許文献２】特開２０１０−２７９６４０号公報
【特許文献３】実用新案登録第３１５６１０３号公報
【特許文献４】特許第４２５２７４３号公報
【発明の概要】
【発明が解決しようとする課題】
【０００７】  しかしながら、特許文献１に開示された簡易担架は、所定の大きさとされた不織布に防水処理を施した矩形状シートの四周縁を裏面側に折り返すとともに、この折り返し部分を縫着することによって仕上げた後に、把手となる把手ベルトを必要な数だけ上記矩形状シートの周囲の折り返し部分に縫着し、さらに、二本の補強ベルトを上記矩形状シートの裏面側に配置して縫着するというものであるため、使い捨てとするには、製造の手間やコストの面において未だ改善の余地があった。【０００８】  そこで、中空状に膨出する多数の突起が真空成形されたキャップフィルムに、少なくとも前記突起内に空気を封入するバックフィルムを積層してなる長尺矩形状の気泡シートからなり、前記気泡シートの両側端縁を長手方向に沿って折り返すとともに、熱融着することによって形成された端縁重合部を有し、且つ、前記端縁重合部には、所定の間隔で複数の貫通孔が形成されている構成された簡易担架が提案されている（特許文献２参照）。【０００９】  また、例えば、片側に少なくとも４箇所、両側で計８箇所の取手を有し、その取手に棒を通すことで瞬時に担架となり、また棒を通さず取手を持つことでそのまま搬送可能となる簡易担架マット（特許文献３参照）。方形布の四隅に取手を設け、左右両側に肩担ぎ紐を取付け、その紐が担架の中央部を縦断して固定され、かつ、一周して上下部がそれぞれ繋がれており、折畳んだ時，収納できる袋を有し、緊急時に負傷者等を座ったまま、安全かつ簡単に運び出せ、普段はコンパクトに収納できる担架が提案されている（特許文献４参照）。【００１０】  とくに、従来、担架に傷病者を乗せて階段を下りる場合、２〜４名の人員を必要としていた。また、平坦な場所を移動する際にも２名以上の人員を必要としていた、緊急の際に救助、避難できる人数が限られていた。【００１１】  したがって、本発明は、上記問題点を解決するためになされたものであって、その目的とするところは、少なくとも一名の人員で傷病者の搬送が可能で、且つ不使用時には多数の担架をコンパクトに備蓄でき、軽量で携行も容易でありながら所期の剛性を備えた緊急避難用簡易担架を提供する。
【課題を解決するための手段】
【００１２】  前記目的を達成するため、本発明の緊急避難用簡易担架は、人が仰臥可能な大きさにされた略長方形状の本体ボードと、本体ボードの長手方向に沿った左右縁部に連接される縣架用リブと、各縣架用リブに複数穿設される把持孔とを有し、外郭を打ち抜き加工すると共に、折り線及び切り込み線を有する紙製又は樹脂製のボードを、各折り線に対応した手順によって折り曲げ、先端側がソリ状の立体的な舟型を構成するようにされていることを第１の特徴とする。また、本体ボードが段ボール紙製であることを第２の特徴とする。さらに、本体ボードが、樹脂板間を複数のリブにより連結して中空構造にされた樹脂プレートであることを第３の特徴とする。
【発明の効果】
【００１２】  本発明は、以下の優れた効果がある。
（１）不使用時には、平坦に積層して収納できるのでコンパクトに収納できるので、防災用に多数の担架を備蓄保管しておくのに便利である。
（２）また、在宅看護の際に室内での移動の際に簡単に使用できる。
（３）縣架用リブを設けたので、担架全体に亘って補強されているので安定し、かつ安心して使用できる。
（４）組み立てた担架全体が船型状となるので、ソリのように階段を滑らせて使用することで、少ない救護人員で傷病者を搬送できる。
（５）本体ボードを、段ボール紙製又は波状に形成した樹脂板の両面に樹脂板を貼り合わせて中空構造にされた樹脂プレート製にした場合、軽量で、暖房効果があり、避難場所での敷き具としても使用できる。
【図面の簡単な説明】
【００１３】
【図１】本発明に係る緊急避難用簡易担架の展開図である。
【図２】本発明に係る緊急避難用簡易担架を組み立てた状態を示す斜視図である。
【発明を実施するための形態】
【００１４】  以下、本発明の緊急避難用簡易担架（以下、単に簡易担架という）を図面に示す実施例に基づき説明する。
【実施例】
【００１５】  本発明の簡易担架１は、人が仰臥可能な大きさにされた略長方形状の本体ボード２と、本体ボード２の長手方向に沿った左右縁部に連接される懸架用リブ３と、各懸架用リブ３に複数穿設される把持孔４とを有し、紙製又は樹脂製ボードの原反を外郭を打ち抜き加工して平板状に形成されている。そして、図２に示すように、折り線５及び切り込み線６を有する本体ボード２を、各折り線５ａ、５ｂに対応した手順によって折り曲げ、先端側にソリ部９を持つ立体的な舟型を組み立てるようにされている。ここで、破線で示す折り線５ａは谷折り、一点鎖線で示す折り線５ｂは山折りとしている。また、実線で示す６は切り込み線を示す。【００１６】  懸用リブ３は、簡易担架１上に負傷者を仰臥させたときの補強及び安定が得られるように剛性を保つようにしたもので、同様の理由により、把持孔４も傷病者搬送時の補強の役割を考慮して適宜間隔を置いて穿孔して設けるのが良い。【００１７】  本体ボード２の材質としては、経済性と軽量性、取り扱い性を考慮すると段ボール紙が好適であるが、波状に形成した樹脂板の両面に樹脂板を張り合わせその内部が中空構造にされた樹脂プレート、すなわち、段ボール状に内部に中空リブが形成された樹脂製プレート等でもよい。樹脂性であれば、腐食に強く、中空構造により充分な強度を有し、自立性が高く風雨に対して充分な耐久性がある。また、軽量であるため、その設置や移動及び撤去作業が容易に行える。【００１８】  本体ボード２は、組み立てた際に、負傷者等が横臥状態で載置できるサイズ、例えば幅６０ｃｍ〜１２０ｃｍ、長さ１８０ｃｍ〜２２０ｃｍ程度の略長方形状に裁断して形成される。【００１９】  把持孔４は、搬出者が手を差し込んで支えられるものであれば、形状やサイズは特に限定されないが、好ましくは幅５〜１０ｃｍ、長さ１０〜２０ｃｍの略長孔形状とするのが良い。把持孔４を大きくし過ぎると懸架用リブ３が破断するおそれがあり、小さくし過ぎると人手が挿入不能になる。【００２０】  各懸架用リブ３の上端は、ボード本体２の幅方向の中央部付近で衝合し、この衝合位置に設けられたスリット７に嵌め込むことで、ボード本体２の上部の中央付近が盛り上がって、凸状部８が形成されて、仰臥した傷病者のクッション性を持たせた枕となり、とくに避難所等で敷き具として使用する際に重宝である。この凸状部８は傷病者の頭部を楽に保持できる大きさであれば、図２のような円弧状でなくても良い。例えば、惰球形状でも、多角形状でも良い。【００２１】  本体ボード２の表面、特に傷病者が接する面には、撥水コーティングが施されるのが好ましい。この撥水コーティングには、ゴム系樹脂、ビニル系樹脂などを用いた不通気性防水加工を用いるのが良く、これによって搬出中の傷病者から悪臭や血液等が漏洩するのを防止できる。【００２２】  尚、本発明は上記実施例における各部材の形状およびそれぞれの前後左右、上下の位置関係は、図１乃至図２に示すように構成することが最良であるが、上記実施例に限定されるものではなく、部材、構成を種々変形したり、組み合わせを変更したりすることもできる。例えば、本体ボード２の材質は紙や合成樹脂シートに限られず、天然樹脂系ボード、無機系��ードで形成されても良い。【００２３】  また、把持孔４は長孔形状とする必要はなく、例えば指が入る丸孔を複数も受けることも可能であり、ベルトや係止具を固定することも可能である。なお、撥水コーティングは本体ボード２の表裏面のいずれに行っても良い。
【産業上の利用可能性】
【００２４】  本発明の簡易担架は、病院、介護施設、学校、警察署、交番、自衛隊駐屯地、消防署、山小屋、救難車両、救難ヘリあるいは公共施設等に常備しておき、事故や災害現場において、傷病者等を搬出するのに使用できる。
【符号の説明】
【００２５】１    簡易担架
２    本体ボード
３    懸架用リブ
３ａ  懸架用リブの上端
４    把持孔
５ａ  折り線（谷折り）
５ｂ  折り線（山折り）
６    切り込み線
７    スリット
８    凸状部
９    ソリ部
【図１】
2015066416.tif 000003
【図２】
2015066416.tif 000004